(57)【要約】【課題】透水性を備えた成形体において、強度を確保することができる漁場施設用成形体を提供する。【解決手段】貝殻２を骨材としたコンクリートからなり透水性を有する本体３を形成する。この本体３の表面には貝殻２による複雑な凹凸部５が形成され、本体３の両端部に強度に高いコンクリート縁部４，４を設ける。透水性を有する成形体１にコンクリート縁部４を設けることにより、組立時、沈設時及び運搬時に成形体１を落下させても、両端部のコンクリート縁部４，４が衝撃を吸収し、落下強度が高いものとなる。そして、透水性を有するが形成され、海藻類が着生し易い。また、貝殻２の隙間には複雑に入り組んだ空洞部が形成され、多毛類，小型甲殻類等が繁殖するから、これを捕食する有用魚類が成形体１の周囲に効果的に蝟集させることができる。【選択図】図１
0003161633.tif 000002
【実用新案登録請求の範囲】
【請求項１】
貝殻を骨材としたコンクリートが固化してなり透水性を有する本体と、この本体に設けた補強体とを備えることを特徴とする漁場施設用成形体。
【請求項２】
前記補強体は、前記本体の長さ方向両端部に設けられ前記本体より強度が高い非透水性のコンクリート縁部であり、前記本体が前記コンクリート縁部より長いことを特徴とする請求項１記載の漁場施設用成形体。
【請求項３】
前記本体が平板状をなし、前記補強体は、前記本体の底面の左右に間隔を置いて設ける左右底板部と、これら左右底板部にそれぞれ一体に設けられ前記本体の側面の少なくとも一部に沿う左右側板部とを備え、前記本体の上面と前記左右底板部間における前記本体の前記底面との間に透水性を有することを特徴とする請求項１記載の漁場施設用成形体。
【請求項４】
前記本体及び前記コンクリート縁部が円筒状をなし、前記本体の内外面に前記貝殻による凹凸部を有し、前記本体の内外面間に透水性を有することを特徴とする請求項２記載の漁場施設用成形体。
【請求項５】
前記本体及び前記コンクリート縁部が略半円筒状をなし、円周方向両端に略同一平面に位置する載置面を設け、前記本体の内外面に前記貝殻による凹凸部を有し、前記本体の内外面間に透水性を有することを特徴とする請求項２記載の漁場施設用成形体。
【考案の詳細な説明】
【技術分野】
【０００１】
本考案は、多毛類，小型甲殻類及び魚類のための魚礁・増殖礁などに好適な漁場施設用成形体に関する。
【背景技術】
【０００２】
従来、この種のものとして、中空状の内筒体を設け、この内筒体の外周縁を貝殻を骨材としたコンクリート又はセラミックからなる外筒体で覆って表面に前記貝殻による凹凸部を有する中空状の成形体を成形したことを特徴とする漁場施設用成形体（例えば特許文献１）が提案されており、この成形体では、成形体を内筒体と外筒体とで形成することで、成形体の成形が容易であるとともに、成形体の表面には貝殻による複雑な凹凸部が形成され、海藻類が着生し易い。また、貝殻の隙間には複雑に入り組んだ空洞部が形成され、多毛類,小型甲殻類等が繁殖するから、これを捕食する有用魚類が成形体の周囲に効果的に蝟集させることができる。
【０００３】
上記成形体では、内筒体を用いるため、内周面には凹凸部がない。これに対して、海中において、魚介類の餌料となる餌料生物を培養するためのものであって、セメント材料を含有し、中空筒状をなし、表面から肉厚内に連通する細孔部を有しポーラス状をなす餌料培養ブロック（例えば特許文献２）が提案されている。
【先行技術文献】
【特許文献】
【０００４】
【特許文献１】特開２００３−９２９５１号公報
【特許文献２】特開２００３−２０４７３２号公報
【考案の開示】
【考案が解決しようとする課題】
【０００５】
上記餌料培養ブロックはポーラス状をなすため、餌料生物が付着し棲息する餌料培養ブロック上の表面積を一挙に増大することができる。
【０００６】
しかし、上記餌料培養ブロックでは、特許文献１のように内筒体を用いないため、ポーラス状に形成すると強度が低下する問題がある。
【０００７】
そこで、本考案は、上記問題点を解決するものであり、透水性を備えた成形体において、強度を確保することができる漁場施設用成形体を提供することを目的とする。
【課題を解決するための手段】
【０００８】
請求項１の考案は、貝殻を骨材としたコンクリートが固化してなり透水性を有する本体と、この本体に設けた補強体とを備えることを特徴とする。
【０００９】
請求項２の考案は、前記補強体は、前記本体の長さ方向両端部に設けられ前記本体より強度が高い非透水性のコンクリート縁部であり、前記本体が前記コンクリート縁部より長いことを特徴とする。
【００１０】
請求項３の考案は、前記本体が平板状をなし、前記補強体は、前記本体の底面の左右に間隔を置いて設ける左右底板部と、これら左右底板部にそれぞれ一体に設けられ前記本体の側面の少なくとも一部に沿う左右側板部とを備え、前記本体の上面と前記左右底板部間における前記本体の前記底面との間に透水性を有することを特徴とする。
【００１１】
請求項４の考案は、前記本体及び前記コンクリート縁部が円筒状をなし、前記本体の内外面に前記貝殻による凹凸部を有し、前記本体の内外面間に透水性を有することを特徴とする。
【００１２】
請求項５の考案は、前記本体及び前記コンクリート縁部が略半円筒状をなし、円周方向両端に略同一平面に位置する載置面を設け、前記本体の内外面に前記貝殻による凹凸部を有し、前記本体の内外面間に透水性を有することを特徴とする。
【考案の効果】
【００１３】
請求項１の考案によれば、透水性を有する成形体に補強体を設けることにより、全体として成形体の強度を確保することができる。そして、透水性を有する本体の表面には貝殻による複雑な凹凸部が形成され、海藻類が着生し易い。また、貝殻の隙間には複雑に入り組んだ空洞部が形成され、多毛類，小型甲殻類等が繁殖するから、これを捕食する有用魚類が成形体の周囲に効果的に蝟集させることができる。
【００１４】
また、請求項２の考案によれば、本体の両端部に強度の高いコンクリート縁部を設けることにより、成形体の強度を向上することができ、特に、長さ方向端部に貝殻が露出しないため、成形体の貝殻部分が壊れ難くなり、組立時、海底などへの沈設時及び運搬時に成形体を落下させても、両端部のコンクリート縁部が衝撃を吸収し、落下強度が高いものとなる。
【００１５】
また、請求項３の考案によれば、平板状の本体の底面の一部と側面の一部に補強体を設けることにより、強度を確保することができる。また、本体が透水性を有することにより、海藻類が着生し易と共に、有用魚類を効果的に蝟集させることができる。
【００１６】
また、請求項４の考案によれば、円筒状をなす本体の両端部にコンクリート縁部を設けることにより、強度を確保することができる。また、本体の内外面に凹凸部を有すると共に本体が透水性を有することにより、海藻類が着生し易と共に、有用魚類を効果的に蝟集させることができる。
【００１７】
また、請求項５の考案によれば、略半円筒状をなす本体の両端部にコンクリート縁部を設けることにより、強度を確保することができる。また、本体の内外面に凹凸部を有すると共に本体が透水性を有することにより、海藻類が着生し易と共に、有用魚類を効果的に蝟集させることができる。そして、設置の際は円周方向両端の載置面を設置面に置くことにより、安定して設置することができる。
【図面の簡単な説明】
【００１８】
【図１】本考案の実施例１を示す斜視図である。
【図２】本考案の実施例２を示す斜視図である。
【図３】同上、側面図である。
【図４】本考案の実施例３を示す斜視図である。
【考案を実施するための形態】
【００１９】
本考案における好適な実施の形態について、添付図面を参照しながら詳細に説明する。なお、以下に説明する実施の形態は、特許請求の範囲に記載された本考案の内容を限定するものではない。また、以下に説明される構成の全てが、本考案の必須要件であるとは限らない。各実施例では、従来とは異なる新規な漁場施設用成形体を採用することにより、従来にない漁場施設用成形体が得られ、その漁場施設用成形体について記述する。
【実施例１】
【００２０】
以下、本考案の実施例を添付図面を参照して説明する。図１は本考案の実施例１を示し、同図に示すように、本実施例の漁場施設用成形体１は、貝殻２を骨材としたコンクリートからなる円筒状の本体３と、この本体３の長さ方向の両端部にそれぞれ設けられた補強体たる円筒状のコンクリート縁部４，４とを備える。そして、前記本体３の内外面にそれぞれ前記貝殻２により凹凸部５が形成されている。尚、前記本体３内には図示しない鉄筋が配筋されている。
【００２１】
前記本体３は内面と外面との間で水が通過可能な透水性を備える。この場合、使用するコンクリートの水セメント比を調整することにより、透水性を備えた本体３を形成する。前記コンクリート縁部４，４は、前記本体３より使用するセメントの割合を増加して、非透水性に形成し、前記本体３よりは強度が高い。尚、前記コンクリート縁部４には前記本体３の貝殻２が埋設されることにより、本体３とコンクリート縁部４との良好な一体化が図られる。また、コンクリート縁部４は、砂や砂利などの骨材セメントを混合して成型してもよい。
【００２２】
このように本実施例では、貝殻２を骨材としたコンクリートからなり透水性を有する本体３と、この本体３に設けた補強体たるコンクリート縁部４とを備えるから、透水性を有する本体３にコンクリート縁部４を設けることにより、全体として成形体１の強度を確保することができる。そして、透水性を有する本体３の表面には貝殻２による複雑な凹凸部５が形成され、海藻類が着生し易い。また、貝殻２の隙間には複雑に入り組んだ空洞部が形成され、多毛類，小型甲殻類等が繁殖するから、これを捕食する有用魚類が成形体１の周囲に効果的に蝟集させることができる。
【００２３】
また、このように本実施例では、補強体は、本体３の長さ方向両端部に設けられ本体３より強度が高い非透水性のコンクリート縁部４，４であり、本体３がコンクリート縁部４より長いから、
また、このように本実施例では、本体３の両端部に強度に高いコンクリート縁部４，４を設けることにより、成形体１の強度を向上することができ、特に、長さ方向端部に貝殻２が露出しないため、成形体１の貝殻部分が壊れ難くなり、組立時、沈設時及び運搬時に成形体１を落下させても、両端部のコンクリート縁部４，４が衝撃を吸収し、落下強度が高いものとなる。
【００２４】
また、このように本実施例では、本体３及びコンクリート縁部４が円筒状をなし、本体３の内外面に貝殻２による凹凸部５を有し、本体３の内外面間に透水性を有するから、円筒状をなす本体３の両端部にコンクリート縁部４，４を設けることにより、強度を確保することができる。また、本体３の内外面に凹凸部５を有すると共に本体３が透水性を有することにより、海藻類が着生し易と共に、有用魚類を効果的に蝟集させることができる。
【実施例２】
【００２５】
図２〜図３は本考案の実施例２を示し、上記実施例１と同一部分に同一符号を付し、その詳細な説明を省略して詳述すると、この例の成形体１Ａは略半円筒状をなし、その略円筒半円筒状の本体３の長さ方向端部に、略半円筒状の前記コンクリート縁部４，４を設け、前記成形体１Ａの円周方向両端には、載置面６，６を設け、この載置面６，６は、成形体１Ａの直径方向に形成され、略同一平面上に位置する。尚、前記成形体１Ａは、前記成形体１を切断などにより二分割して形成することができる。
【００２６】
このように本実施例では、貝殻２を骨材としたコンクリートからなり透水性を有する本体３と、この本体３に設けた補強体たるコンクリート縁部４とを備えるから、上記実施例１と同様な作用・効果を奏する。
【００２７】
また、このように本実施例では、本体３及びコンクリート縁部４，４が略半円筒状をなし、円周方向両端に略同一平面に位置する載置面６，６を設け、本体３の内外面に貝殻２による凹凸部５を有し、本体３の内外面間に透水性を有するから、略半円筒状をなす本体３の両端部にコンクリート縁部４，４を設けることにより、強度を確保することができる。また、本体３の内外面に凹凸部５を有すると共に本体３が透水性を有することにより、海藻類が着生し易と共に、有用魚類を効果的に蝟集させることができる。そして、設置の際は円周方向両端の載置面６，６を下にして設置面に置くことにより、安定して設置することができる。
【実施例３】
【００２８】
図４は本考案の実施例３を示し、上記各実施例と同一部分に同一符号を付し、その詳細な説明を省略して詳述すると、この例の成形体１Ｂは、略平板状の本体３と、補強体たる枠体７とを備え、この枠体７は金属板からなり、前記本体３の底面３Ｔの左右に間隔を置いて設ける左右底板部８，８と、これら左右底板部８，８にそれぞれ一体に設けられ前記本体３の側面の少なくとも一部に沿って設ける左右側板部９，９とを一体に備え、コンクリートのセメントにより本体３と枠体７とが一体化されている。尚、左右底板部８，８は離れて配置されている。また、前記底板部８と側板部９とは山型鋼などから形成され、枠体７を用いて魚礁に取り付けることもできる。
【００２９】
また、前記左右底板部８，８において、前記本体３の底面３Ｔは露出し、前記本体３の上面３Ｕと前記左右の底板部８，８間における前記本体３の前記底面３Ｔとの間に透水性を有する。また、前記本体３は略一定厚さの平板状をなし、その左右間隔より前記枠体７の長さ方向に長く形成されている。
【００３０】
このように本実施例では、貝殻２を骨材としたコンクリートからなり透水性を有する本体３と、この本体３に設けた補強体たる枠体７とを備えるから、上記実施例１と同様な作用・効果を奏する。
【００３１】
また、このように本実施例では、本体３が平板状をなし、補強体たる枠体７は、本体３の底面３Ｔの左右に間隔を置いて設ける左右底板部８，８と、これら左右底板部８，８にそれぞれ一体に設けられ本体３の側面の少なくとも一部に沿う左右側板部９，９とを備え、本体３の上面３Ｕと左右底板部８，８間における本体３の底面３Ｔとの間に透水性を有するから、平板状の本体３の底面３Ｔの一部と側面の一部に補強体たる枠体７を設けることにより、強度を確保することができる。また、本体３が透水性を有することにより、海藻類が着生し易と共に、有用魚類を効果的に蝟集させることができる。
【００３２】
尚、本考案は、本実施例に限定されるものではなく、本考案の要旨の範囲内で種々の変形実施が可能である。例えば、骨材とて用いる貝殻はカキが好適であるが、ホタテ貝やアコヤ貝などのカキ以外の貝などに適用可能であることはいうまでもない。
【符号の説明】
【００３３】
１，１Ａ，１Ｂ    漁場施設用成形体
２  貝殻
３  本体
３Ｕ  上面
３Ｔ  底面
４  コンクリート縁部（補強体）
５  載置面
７  枠体（補強体）
８  左右底板部
９  側面部
【図１】
0003161633.tif 000003
【図２】
0003161633.tif 000004
【図３】
0003161633.tif 000005
【図４】
0003161633.tif 000006